(57)【要約】【課題】  第一切断構造を有する本体と、第二切断構造を有するアタッチメントとから成り、アタッチメントは着脱自在であって、本体の第一切断構造を取り外すことなくアタッチメントを使用することができると共に、全体をコンパクトにして携帯に便利なものとすることもできる毛の切断具の提供。【解決手段】  本体１は第一切断構造３を有し、本体１に着脱可能に取り付けられるアタッチメント２は第二切断構造３１を有しており、本体１に取り付けられた駆動装置によって第一切断構造３の刃を動かす手段を有し、且つアタッチメント２を本体１に装着したときに、前記駆動装置によって第二切断構造３１の刃を動かす手段を有している。【選択図】  図２
2011005037.tif 000002
【特許請求の範囲】
【請求項１】
毛を切断するための電動の切断具であって、本体とアタッチメントとから成り、本体は第一切断構造を有し、本体に着脱可能に取り付けられるアタッチメントは第二切断構造を有しており、本体に取り付けられた駆動装置によって第一切断構造の刃を動かす手段を有し、且つアタッチメントを本体に装着したときに、前記駆動装置によって第二切断構造の刃を動かす手段を有していることを特徴とする切断具。
【請求項２】
アタッチメントを本体に取り付けたときに該アタッチメントによって第一切断構造が使用不能状態となる請求項１記載の切断具。
【請求項３】
アタッチメントが第一切断構造を覆うように本体に取り付けられることによって第一切断構造を使用不能状態とする請求項２記載の切断具。
【請求項４】
第一切断構造及び第二切断構造はいずれも固定刃に対して可動刃が往復運動するトリマーであって、第一切断構造の可動刃の往復運動力を第二切断構造の可動刃に伝達することによって第二切断構造の可動刃が往復運動する請求項１乃至請求項３のいずれか一項記載の切断具。
【請求項５】
第一切断構造及び第二切断構造はそれぞれ往復運動可能な可動部材を有し、第一切断構造及び第二切断構造のそれぞれの可動刃はそれぞれの可動部材に取り付けられており、第一切断構造の可動刃の往復運動力を第二切断構造の可動刃に伝達するための手段が、第一切断構造の可動部材と第二切断構造の可動部材との間に設けられている請求項４記載の切断具。
【発明の詳細な説明】
【技術分野】
【０００１】
本発明は、頭髪などの毛を切断するための電動の切断具に関する。
【背景技術】
【０００２】
髭剃り刃と鼻毛剃り刃を備えた電気カミソリは存在し、細長い本体の一方の端部に髭剃り刃が取り付けられ、他方の端部に鼻毛剃り刃が取り付けられている。鼻毛剃り刃は本体の端部から突出するように取り付けられているので、電気カミソリの長さが通常のものよりも長めとなってかさばるから携帯に不便である。
【０００３】
そこで、２つのアタッチメントを選択して交換可能な電気カミソリが提案されている。しかし、アタッチメントを交換するときは、既に取り付けられているアタッチメントを取り外し、次いで新たなアタッチメントを取り付けるので、アタッチメントの取り外しと取り付けの２つの作業が必要であり使用者にとって煩わしい。
【先行技術文献】
【特許文献】
【０００４】
【特許文献１】実開昭６４−２８２７５号公報
【特許文献２】特開２００１−１４９６７０号公報
【発明の概要】
【発明が解決しようとする課題】
【０００５】
本発明は、第一切断構造を有する本体と、第二切断構造を有するアタッチメントとから成り、アタッチメントは本体に対して着脱自在であって、本体の第一切断構造を取り外すことなくアタッチメントを使用することができると共に、全体をコンパクトにして携帯に便利なものとすることもできる切断具を提供することを課題とする。
【課題を解決するための手段】
【０００６】
本発明の請求項１は、本体とアタッチメントとから成り、本体は第一切断構造を有し、本体に着脱可能に取り付けられるアタッチメントは第二切断構造を有しており、本体に取り付けられた駆動装置によって第一切断構造の刃を動かす手段を有し、且つアタッチメントを本体に装着したときに、前記駆動装置によって第二切断構造の刃を動かす手段を有している。
【０００７】
請求項２は、アタッチメントを本体に取り付けたときに該アタッチメントによって第一切断構造が使用不能状態となる要素が請求項１に付加された構成である。
【０００８】
請求項３は、アタッチメントが第一切断構造を覆うように本体に取り付けられることによって第一切断構造を使用不能状態とする要素が請求項２に付加された構成である。
【０００９】
請求項４は、第一切断構造及び第二切断構造がいずれも固定刃に対して可動刃が往復運動するトリマーであって、第一切断構造の可動刃の往復運動力を第二切断構造の可動刃に伝達することによって第二切断構造の可動刃が往復運動する要素が請求項１乃至請求項３のいずれか一項に付加された構成である。
【００１０】
請求項５は、第一切断構造及び第二切断構造がそれぞれ往復運動可能な可動部材を有し、第一切断構造及び第二切断構造のそれぞれの可動刃はそれぞれの可動部材に取り付けられており、第一切断構造の可動刃の往復運動力を第二切断構造の可動刃に伝達するための手段が、第一切断構造の可動部材と第二切断構造の可動部材との間に設けられている要素が請求項４に付加された構成である。
【発明の効果】
【００１１】
請求項１は、本体が第一切断構造を有しており、本体に着脱可能に取り付けられるアタッチメントは第二切断構造を有しており、本体に取り付けられた駆動装置によって第一切断構造の刃を動かす手段を有し、且つアタッチメントを本体に装着したときに、前記駆動装置によって第二切断構造の刃を動かす手段を有している。したがって、本体の第一切断構造を取り外すことなくアタッチメントを使用することができるので、特に使用中に第一切断構造の刃と第二切断構造の刃を交互に使用するときに、迅速に対応することができる。また、アタッチメントを取り外すことで切断具全体をコンパクトにして携帯に便利なものとすることもできる。
【００１２】
請求項２は、アタッチメントを本体に取り付けたときにアタッチメントによって第一切断構造が使用不能状態となる構成である。アタッチメントの第二切断構造の刃を使用するときに、本体の第一切断構造も使用可能状態であると、例えば本体を持ち替えるときなどに不意に第一切断構造の刃によって思わぬ怪我をする虞がある。しかし、本発明においてアタッチメントの使用時に第一切断構造が使用不能状態となることによって、そのような虞を確実に防止することができ、安心して使用することができる。
【００１３】
請求項３は、アタッチメントが第一切断構造を覆うように本体に取り付けられることによって第一切断構造を使用不能状態とする構成である。第一切断構造がアタッチメントによって覆われるので、皮膚などが第一切断構造の刃に触れる虞がなく、さらに安全性が増す。また、アタッチメントが第一切断構造を覆った状態で携帯できるから、携帯時にかさばることがない。さらに、使用時にもコンパクトでかさばらないから取り扱いやすく使用しやすい。
【００１４】
請求項４は、第一切断構造及び第二切断構造はいずれも固定刃に対して可動刃が往復運動するトリマーであって、第一切断構造の可動刃の往復運動力を第二切断構造の可動刃に伝達することによって第二切断構造の可動刃が往復運動する構成である。したがって、アタッチメントを着脱するだけで、第一切断構造であるトリマーと第二切断構造であるトリマーを目的に応じて迅速に交換して使用することができる。
【００１５】
請求項５は、第一切断構造及び第二切断構造がそれぞれ往復運動可能な可動部材を有し、第一切断構造及び第二切断構造のそれぞれの可動刃はそれぞれの可動部材に取り付けられており、第一切断構造の可動刃の往復運動力を第二切断構造の可動刃に伝達するための手段が、第一切断構造の可動部材と第二切断構造の可動部材との間に設けられている。したがって、可動刃自体は駆動力を伝えるための構造を必要とせず、可動刃を一枚の金属板材で形成して可動部材に取り付ければよいので可動刃の製造が簡単でありコストを抑えることができる。また、可動部材を合成樹脂など加工の容易な材料で形成することができるからさらにコストを抑えることができる。さらに、第一切断構造の可動刃の往復運動力を第二切断構造の可動刃に伝達することによって第二切断構造の可動刃が往復運動するので、第一切断構造の可動刃の動きと第二切断構造の可動刃の動きが同じであるから、使用する刃を交換しても使用者に対する刃の動きに変化がなく使用者がとまどうことがない。
【図面の簡単な説明】
【００１６】
【図１】図１は、本発明の背面図である。
【図２】図２は、アタッチメントを取り外した状態を示す一部斜視図である。
【図３】図３は、第一切断構造の固定刃と可動刃の取り付け状態を示す偏心カムを省略した一部斜視図である。
【図４】図４は、第３図に揺動部材と偏心カムを装着した状態を示す一部斜視図である。
【図５】図５は、本体のヘッド部の斜視図である。
【図６】図６は、揺動部材の斜視図である。
【図７】図７は、半割したアタッチメントの一方の内面図である。
【図８】図８は、半割したアタッチメントの他方の内面図である。
【発明を実施するための形態】
【００１７】
図１は本実施例の背面図であって、細長く形成された本体１にアタッチメント２が着脱可能に取り付けられている。本体１の内部にモーター（図示せず。）と乾電池（図示せず。）が取り付けられている。図２に示すようにアタッチメント２はキャップ状に形成されている。アタッチメント２を取り外すと、本体１のヘッド６に取り付けられた第一切断構造３が現れる。第一切断構造３は、櫛歯状の可動刃４が櫛歯状の固定刃５に対して左右に往復運動するトリマーである。符号１９は嵌合凹部であって前後一対設けられており、アタッチメント２の内面に設けられた嵌合突起３９，３９と嵌合してアタッチメント２を固定することができる。アタッチメント２の固定は他の方法でもよく、例えば磁石を使用する固定であってもよい。
【００１８】
図３及び図４はヘッド６の半割部７を取り除いた状態を示した図であって、ヘッド６の内部のほぼ中央に軸受８が設けられている。この軸受８は、半割部７に設けられた揺動中心軸（図示せず。）が挿入されることにより揺動部材９の揺動中心となる。軸受８の上方、すなわち軸受８よりも第一切断構造３寄りに刃受け台１２が設けられている。この刃受け台１２は可動刃４の往復運動を円滑に行うために設けられている。ヘッド６の内面に固定刃５が固着されている。固着方法は凹凸の嵌合や接着によるが他の方法でもよい。
【００１９】
固定刃５の内側に沿って可動刃４が取り付けられている。この可動刃４は可動部材１０に固着されており、可動部材１０と一体的に移動する。可動部材１０に下向きのカム溝１１が形成されている。図４に示すように、ヘッド６の内部にはさらに揺動部材９が取り付けられる。
【００２０】
図６は揺動部材９の斜視図であって、この揺動部材９の一方の端部に駆動突起１３が設けられている。この駆動突起１３は、後述するようにヘッド６を覆うようにしてアタッチメント２を本体１に取り付けたときに、アタッチメント２の可動刃１４に往復運動を与える。駆動突起１３から他方の端部方向にややずれた位置にこの駆動突起１３と反対の方向を向く駆動突起１５が設けられている。この駆動突起１５は、前述した可動部材１０のカム溝１１に係合してヘッド６の可動刃４に往復運動を与える。
【００２１】
さらに、揺動部材９のほぼ中央に軸孔１６が設けられている。この軸孔１６は前述した軸受８と連通し、ヘッド６の半割部７に設けられた揺動軸（図示せず。）を軸孔１６に挿通し、前述したように軸受８に挿入することによって揺動軸を中心に揺動部材９が揺動する。また、揺動部材９の下端にはカム溝１７が設けられている。このカム溝１７は、モーターの原動軸（図示せず。）の端部に取り付けられた偏心カム１８と協働して原動軸の回転を往復運動に変換し揺動部材９に揺動運動を与える。トリマーのモーターの回転をカム溝と偏心カムとのカム機構によって往復直線運動に変換する構造は、例えば実公昭５７-１２９９６号公報に記載されているように公知である。
【００２２】
ヘッド６の内面に設けられた４つの嵌合穴２０，２０，２０，２０は、半割部７を結合させるためのものであり、半割部７の内面に設けられた嵌合突起（図示せず。）を嵌入することによりヘッド６が組み立てられる。ヘッド６は本体１と別体に形成され、本体１のヘッド取付け部３６に恒久的に取り付けられる。ただし、アタッチメント２を本体１から取り外すときにヘッド６が取付け部３６から外れない程度の強い結合であることを条件に、ヘッド６が本体１に対し着脱自在に取り付けられてもよい。
【００２３】
図５に示すように、ヘッド６の半割部７には横方向に長い長孔２１が第一切断構造３に近い位置に形成されており、その長孔２１から揺動部材９の駆動突起１３が半割部７の外側に突出している。長孔２１は横方向に長いから、駆動突起１３はこの長孔２１内で往復運動することができる。
【００２４】
次にアタッチメント２について説明する。アタッチメント２が有する第二切断構造３１は、第一切断構造と同様に櫛歯状の可動刃１４が櫛歯状の固定刃２３に対して左右に往復運動するトリマーである。第二切断構造３１は第一切断構造３よりも幅広に形成されている。第二切断構造３１の幅は約１５ｍｍであり、第一切断構造３の幅は約５ｍｍである。したがって、第二切断構造３１は、頭髪の切断やもみあげの際剃りに向いており、第一切断構造３は眉毛の際剃りや鼻毛切り或いは耳毛切りに向いている。図７はアタッチメント２の一方の半割部２２の内部を示している。半割部２２の内面に固定刃２３が固着されている。また、固定刃２３の内側に沿って可動刃１４が取り付けられている。この可動刃１４は可動部材２４に固着されており、可動部材２４と一体的に移動する。
【００２５】
可動部材２４に２つの長孔２５，２５が設けられている。一方の半割部２２の内面に設けられた２つの突起２６，２６は長孔２５，２５に挿通され、端部が他方の半割部２７の内面に設けられた溝２８，２８に納まる。長孔２５，２５に突起２６，２６を挿通させることにより可動部材２４を円滑に往復運動させることができる。
【００２６】
可動部材２４の下部の両側に案内溝２９，２９が設けられている。また、一方の半割部２２の内面に２つの突条３０，３０が設けられており、この突条３０，３０が案内溝２９，２９に緩く嵌って可動部材２４を円滑に往復運動させることができる。このように、長孔２５，２５に突起２６，２６を挿通させ、且つ突条３０，３０を案内溝２９，２９に緩く嵌めることにより４箇所で可動部材２４の往復運動を補助する理由は、第二切断構造３１の刃は第一切断構造３の刃よりもかなり幅広であるから、可動刃１４の往復運動を確実に案内して刃のガタつきを防止する必要があるためである。
【００２７】
また、可動部材２４の中央下部にカム溝３２が設けられている。前述したようにヘッド６を覆うようにしてアタッチメント２を本体１に取り付けたときに、ヘッド６の長孔２１から突出している駆動突起１３がアタッチメント２の可動部材２４に設けられたカム溝３２に係合する。そして、本体１に取り付けられたスイッチ３３をオンにすると、モーターが回転しカム溝３２に係合している駆動突起１３が左右に往復運動して可動部材２４に往復運動を与え、同時に可動刃１４が往復運動する。なお、符号３４，３４は一方の半割部２２に設けられた嵌合突起であり、他方の半割部２７に設けられた嵌合穴３５，３５と嵌合することによりアタッチメント２が組み立てられる。アタッチメント２の第二切断構造３１を保護するためのキャップを着脱自在にアタッチメント２に取り付けてもよい。また、そのキャップの上端に手動安全カミソリのカートリッジ替刃を着脱自在に取り付ける手段を設けてもよい。モーターを回転させながらカートリッジ替刃を使用してヒゲを剃ると、モーターの振動によってカートリッジ替刃も振動し、刃体が振動しながらヒゲを円滑に剃ることができる。
【００２８】
このように、アタッチメント２の可動刃１４を往復運動させる駆動突起１３は、揺動部材９の長さ方向に対して垂直方向に突出している。また、ヘッド６の可動刃４を往復運動させる駆動突起１５は、揺動部材９の長さ方向に対して垂直方向で且つ駆動突起１３と反対方向に突出している。したがって、第一切断構造３と第二切断構造３１は可動部材９を間に置いて間隔をあけて取り付けられている。図６に示すように駆動突起１３と駆動突起１５は反対方向を向いているが背中合わせではなく、駆動突起１５は揺動部材９の一方の端部に形成された駆動突起１３よりもやや他方の端部寄りにずれて形成されている。本実施例では、１つの揺動部材９によって２つの可動刃４，１４に往復運動を与えることができる。また、揺動部材９は一体に形成されているので構造が簡単であり製造コストを抑えることができる。
【００２９】
アタッチメント２を使用するときは、図１に示すようにヘッド６を上から覆うようにして本体１に取り付ける。この際、図２の紙面の手前側を正面、反対側を背面と定義して、ヘッド６の背面の少なくとも下から３分の１程度の高さまでの部分と、アタッチメント２の背面部３７の内面３８が接するように構成することが好ましい。アタッチメント２の背面部３７の内面３８を部分的にヘッド６の表面に密着させることにより、アタッチメント２を使用するときにアタッチメント２の振動を減少させることができる。また、アタッチメント２を使用するときにヘッド６の第一切断構造３はアタッチメント２に覆われるので、アタッチメント２の使用中に第一切断構造３は使用不能の状態となる。第一切断構造３は使用不能の状態においてもその可動刃４は往復運動しているが、第一切断構造３がアタッチメント２に覆われているので刃が皮膚に触れる虞がなく安全である。なお、使用不能の状態とは、このように第一切断構造３が完全に覆われている状態に限られず、アタッチメント２の使用中に第一切断構造に皮膚が接触することのない構造による使用不能状態であればよい。例えば、アタッチメント２の背面部３７の上部に窓孔をあけて内部の第一切断構造３が目視できる構造など、アタッチメント２の使用中に第一切断構造３は見えるが障害があって第一切断構造３に皮膚が触れない構造による使用不能状態でもよい。
【００３０】
なお、本発明は前述した構成に基づいて種々の態様をとることが可能である。例えば、本体１の尻部にアタッチメント２の嵌合による取り付け構造を設け、第一切断構造３の使用中にアタッチメント２を尻部に嵌合して取り付けておくことができるようにしてもよい。また、第一切断構造３と第二切断構造３１の少なくとも一方をトリマーでなく、外刃の内面を内刃が接触しながら回転する回転式の電動鼻毛カッターとしてもよい。例えば、第一切断構造３と第二切断構造３１のいずれか一方を鼻毛カッターとし、他方をトリマーとしてもよいし、両切断構造３，３１の双方を鼻毛カッターとしてもよい。
【産業上の利用可能性】
【００３１】
本発明は、第一切断構造を有する本体と、第二切断構造を有する着脱自在のアタッチメントとを組み合わせることにより、本体の第一切断構造を取り外すことなくアタッチメントを使用することができると共に、全体をコンパクトにして携帯に便利な毛の切断具を提供することができる。
【符号の説明】
【００３２】
１  本体
２  アタッチメント
３  第一切断構造
４  可動刃
５  固定刃
６  ヘッド
７  半割部
８  軸受
９  揺動部材
１０  可動部材
１１  カム溝
１２  刃受け台
１３  駆動突起
１４  アタッチメントの可動刃
１５  駆動突起
１６  軸孔
１７  カム溝
１８  偏心カム
１９  嵌合凹部
２０  嵌合穴
２１  長孔
２２  一方の半割部
２３  アタッチメントの固定刃
２４  可動部材
２５  長孔
２６  突起
２７  他方の半割部
２８  溝
２９  案内溝
３０  突条
３１  第二切断構造
３２  カム溝
３３  スイッチ
３４  嵌合突起
３５  嵌合穴
３６  ヘッド取付け部
３７  アタッチメントの背面部
３８  背面部の内面
３９  嵌合突起
【図１】
2011005037.tif 000003
【図２】
2011005037.tif 000004
【図３】
2011005037.tif 000005
【図４】
2011005037.tif 000006
【図５】
2011005037.tif 000007
【図６】
2011005037.tif 000008
【図７】
2011005037.tif 000009
【図８】
2011005037.tif 000010